(57)【特許請求の範囲】
【請求項１】
少なくとも、下縁にフランジを備えたベースプレートと、そのベースプレートに枢支された可動プレートと、その可動プレートを作動させるレバー部と、前記ベースプレートの前方下方に対象物が挿し込まれる隙間を形成して支持されている受部と、上下動するピストン部材と、そのピストン部材が挿入される一対の中空ニードルと、ベースプレートの前端側に形成された係止部材の搬路と、係止部材の送り機構とを有する係止部材の装着装置において、前記したレバー部は可動プレートに一体に設けられ、前記した受部は前記した可動プレートの裏側に後半部分を重合させた受部材と一体とされており、前記した可動プレートと連動し、後端を枢支された梃部材と、その梃部材の前端に前方をやや幅広径とした長孔を介して後端をピン連結された、ブーメラン状とし、略中央部分でピンで枢支されたリンク部材とを有し、前記したピストン部材はそのリンク部材の前端によって上下動されることとし、前記した梃部材の略中央の下面に少なくとも前面は突弧状とした略三角状の力点片が一体に垂設され、その力点片の前後面はレバー部の上部に形成された二つの立壁部と当摺接されるものとし、梃部材の略中央には異形をした透孔が形成され、この透孔に可動プレートに突設されたピンが遊嵌されており、また、前記したピストン部材は一対の平行な稼動ホルダーに取り付けられたものとし、この稼動ホルダー間に前記リンク部材の先端が挿入され、前記した力点片における応力によって梃部材の略中央の異形をした透孔の内周面は可動プレートに突設され、遊嵌されているピンの外周面と摺接してカム作用を行ない、梃部材の前端を上昇させ、その上昇させる際、前記異形の透孔と、可動プレートのピンとの遊嵌によって前記リンク部材の起動にタイムラグを生じせしめ、それによって前記中空ニードルが対象物に刺さってからピストン部材内を押し進むものとし、さらに、梃部材とリンク部材との連結に前方をやや幅広径とした長孔を介してピン連結されていることでそのピンが長孔に沿ってタイムラグをもって同期して上昇し、初期状態に復元することを特徴とする係止部材の装着装置。
【請求項２】
前記したベースプレートに形成され、前記中空ニードルに至る係止部材の搬路にはガイドフランジが形成され、そのガイドフランジに係止部材の押し送りコマが備えられていることを特徴とする請求項１に記載の係止部材の装着装置。
【請求項３】
前記したベースプレートの下縁と受部の上面間には対象物が挿し込まれる隙間の一部に対象物の挿し込み先端が当接されるストッパ部材を位置可変として備えていることを特徴とする請求項１または請求項２に記載の係止部材の装着装置。
【請求項４】
前記したベースプレートの下縁に前記した一対の中空ニードルが挿通される窓孔を穿設した、ニードルの対象物からの引き抜き補助部材を備えていることを特徴とする請求項１、請求項２または請求項３に記載の係止部材の装着装置。
【請求項５】
前記したレバー部の前端に形成された曲面部を前記した受部材に形成された突曲片部と係合させ、レバー部の握持操作により、前記した受部材を上昇させ、対象物をその受部材の受部とベースプレートの下縁間で挟圧することを特徴とする請求項１、請求項２、請求項３または請求項４に記載の係止部材の装着装置。
【請求項６】
前記した係止部材の搬路の終端にあって前記した中空ニードルの手前には係止部材の戻り防止用の弾発材で附勢された爪体を備えていることを特徴とする請求項１、請求項２、請求項３、請求項４または請求項５に記載の係止部材の装着装置。
【請求項７】
前記した係止部材の送り機構は枢支された断面コ字状の外装体に嵌め付けられた曲成板バネをリンク部材の先端が戻り時に摺押圧して、前記外装体を枢動させ、その外装体の下端に形成された送り爪が係止部材を所定のピッチだけ送るものであることを特徴とする請求項１、請求項２、請求項３、請求項４、請求項５または請求項６に記載の係止部材の装着装置。
【発明の詳細な説明】
【０００１】
【発明の属する技術分野】
本発明は係止部材の装着装置に関し、主として布製品にラベルを貼装状態で密に装着させるための係止部材の装着装置に関する。
【０００２】
【発明の背景】
一般的に、被服等をはじめとする布製品に値札や品質を表示したタグを装着するには糸、あるいは近時はタグピンと称されるプラスチック製のタグ係止具が使用されている。
【０００３】
しかし、上記した糸やタグピンの使用ではタグが吊持状態として揺動してしまい、時として外れ易いものとなっている。また、あや織り綿布であるデニムやジ−ンズ等は布地の目が詰まっているため、糸やタグピンを装着する際の針の挿通が困難なものとなっている。
【０００４】
そのため、特にデニムやジ−ンズにあっては金属製針（ホチキス針）を用いて前記タグを止着することが通例となっている。しかし、この金属製針はソフトな布地のものには適合するものではなく、近時の怪我の防止や廃棄処理の困難性等の社会的要請からも金属製針は敬遠され、他の素材の使用が望まれている。
【０００５】
かかる要請から、係止部材の素材としてプラスチックを用い、中央フィラメントの両端に抜け止め棒を一体に備えたＨ字状とし、前記中央フィラメントと両端の抜け止め棒とによってタグを貼装状態とするものが開発され、共にこの係止部材を連続したアッセンブリとし、連続的に装着できる装置も開発された。
【０００６】
また、上記したアッセンブリは保形、補強しいては係止部材の装置に装填時の送り用として支持棒（ランナ−）の存在を不可欠としていたが、現在では製作上、前記した支持棒の存在をなくしたランナ−レス構造のアッセンブリも可能となっている。
【０００７】
【発明の目的】
本発明は上記したプラスチック製のＨ字状をした係止部材のランナ−レスアッセンブリの使用を前提としており、従来は据置タイプで複雑なメカニズムとされていたものをハンディタイプに小型化し、メカニズムも簡易なものとして故障を生じることも少なく、精巧に作動するものとし、主として布製品にタグを装着するほか、ホチキスの代替として書類の綴りや袋入り商品のペ−パ−ボ−ドへの装着等、幅広い使用用途を望むことができる係止部材の装着装置を提供することを目的としている。
【０００８】
【課題を解決するための手段】
この目的を達成するために、本発明に係る係止部材の装着装置は少なくとも、下縁にフランジを備えたベ−スプレ−トと、そのベ−スプレ−トに枢支され、一部をベ−スプレ−ト間と引張附勢され、レバ−部を一体に設けた可動プレ−トと、前記ベ−スプレ−トの前方下方に一部を対向させてベ−スプレ−トに支持された受部材と、前記可動プレ−トと連動し、後端を枢支された梃部材と、その梃部材の前端に長孔を介して後端をピン連結されたリンク部材と、そのリンク部材の前端によって上下動するピストン部材と、そのピストン部材が挿入される一対の中空ニ−ドルと、前記リンク部材の先端によって作動される枢支された係止部材の送り機構とから成ることを特徴とし、前記したベ−スプレ−トに形成され、前記中空ニ−ドルに至る係止部材の搬路にはガイドフランジが形成され、そのガイドフランジに係止部材の押し送りコマが備えられていることを特徴とし、前記したベ−スプレ−トの下縁と受部材の上面間には対象物が挿し込まれる隙間が形成され、この隙間の一部に対象物の挿し込み先端が当接されるストッパ部材を位置可変として備えていることを特徴としている。
【０００９】
また、本発明に係る係止部材の装着装置は前記したベ−スプレ−トの下縁に前記した一対の中空ニ−ドルが挿通される窓孔を穿設した、ニ−ドルの対象物からの引き抜き補助部材を備えていることを特徴とし、前記したレバ−部の前端に形成された曲面部を前記した受部材に形成された突曲片部と係合させ、レバ−部の握持操作により、前記した受部材を上昇させ、対象物をその受部材とベ−スプレ−トの下縁間で挟圧することを特徴とし、前記した係止部材の搬路の終端にあって前記した中空ニ−ドルの手前には係止部材の戻り防止用の弾発材で附勢された爪体を備えていることを特徴とし、前記した係止部材の送り機構は枢支された断面コ字状の外装体に嵌め付けられた曲成板バネをリンク部材の先端が戻り時に摺押圧して、前記外装体を枢動させ、その外装体の下端に形成された送り爪が係止部材を所定のピッチだけ送るものであることを特徴としている。
【００１０】
【作用】
上記した構成としたことにより、プラスチックで成形したＨ字状の係止部材の連続アッセンブリを用い、片手で操作することができる小型のものとし、機構的には簡易で故障も少なく、作動が精巧で、かつ、使い勝手がよく、価格的にも低廉なものとして需要者に供給することができることとなるのである。
【００１１】
【発明の実施の形態】
次に、本発明の好ましい実施の形態を図面を参照して説明する。図１は本発明を実施した係止部材の装着装置の機構図、図２は同じく戻り防止の爪体機構を示す正面図、図３は同じく側面図、図４は同じく中空ニ−ドルの引き抜き補助部材を示す斜視図、図５は同じく係止部材の押し送りコマの装備状態を示す正面図、図６は同じく係止部材の連続アッセンブリを装填した状態の装着装置の正面図、図７は係止部材の使用状態を示す図である。
【００１２】
これらの図にあって１はベ−スプレ−トを示しており、このベ−スプレ−ト１は前方上方に弧状とした切り欠き部２を形成し、下縁にはフランジ３が形成されている。図１は機構を示すものとなっており、完成品は図６に示すようにベ−スプレ−ト１と対をなすカバ−１ａ及び後述する可動プレ−ト４と対をなすカバ−４ａで機構を外部から隠蔽することとなっている。
【００１３】
このベ−スプレ−ト１には可動プレ−ト４がその略中央下方位置においてピン５によって枢動状態に重合されて備えられている。この可動プレ−ト４の後方下方にはレバ−部６が一体に備えられ、このレバ−部６はベ−スプレ−ト１の下方外方へ突出状態となっている。そして、この可動プレ−ト４はベ−スプレ−ト１の上方に取り付けられたビス７と可動プレ−ト４の上方寄りに取り付けられたビス８間に引張附勢用のコイルスプリング９が設けられ、常時図１における想像線で示す位置に引張され、スタンバイ状態とされる。即ち、図１における状態はレバ−部６を握持した作業状態を示している。
【００１４】
可動プレ−ト４の前端側にはカ−ブしてその奥端をフランジ３と平行状態とする形態の係止部材連続アッセンブリＡの搬路１０が形成され、この搬路１０にはこの搬路１０と沿うガイドフランジ１１が形成されて、前記アッセンブリＡが外れてしまうことを防止している。
【００１５】
また、可動プレ−ト４の前記した搬路１０の近傍には門型となるピストン部材１２の摺動ガイド部１３が上下方向に沿って設けられ、前記したピストン部材１２は一対の平行な稼動ホルダ−１４・１４に取り付けられたものとなっている。
【００１６】
この稼動ホルダ−１４・１４が設けられた摺動ガイド部１３の下方には、前記したピストン部材１２が内部へ挿通される一対の中空ニ−ドル１５・１５が取り付け部材１６によって交換着脱自在に備えられている。この中空ニ−ドル１５・１５の前面上部にはアッセンブリＡの両端に存する抜け止め棒Ｂ・Ｂが挿入される受け入れ溝が形成されている。
【００１７】
さらに、前記した搬路１０のアッセンブリＡの投入部１０ａは、ベ−スプレ−ト１の切り欠き部２と対応して外方に大きく突出され、加えて、この投入部１０ａはガイドフランジ１１も含めて切り欠いており、アッセンブリＡの投入、挿入作業を行い易いように図られている。
【００１８】
そして、搬路１０にアッセンブリＡが投入された後に、ガイドフランジ１１・１１を挟持する溝１７ａ・１７ａを左右に備え、全体として十字形態とした押し送りコマ１７を投入部１０ａから挿し入れアッセンブリＡの先端が前記した中空ニ−ドル１５・１５に到達するよう人為的に押し送りしてやることも可能でアッセンブリＡの抜き出しも可能となり、加えて可動プレ−ト４とカバ−４ａとの間に位置されることでその可動プレ−ト４とカバ−４ａとで形成される間隔を保持するスペ−サ−の役目も果たしている。
【００１９】
一方、搬路１０の終端で中空ニ−ドル１５・１５の手前にはボックス１８がセットされ、このボックス１８にコイルスプリング１９で一端を上方へ附勢突出されたアッセンブリＡの戻り防止用の爪体２０が備えられている。この爪体２０は上面２０ａをテ−パカットしたＬ字状に成形されており、他端をボックス１８の前面に形成された透孔１８ａから突出させ、万一のジャム時に爪体２０を操作し、戻り止め状態を解除してやることも可能としているもので、係止部材の単体を二本づつ抑え、最後の一本もスム−ズに中空ニ−ドル１５・１５に送り込めるものとし、前記した上面２０ａの形状により送り時の滑り性もよいものとしている。なお、ボックス１８の上面にはアッセンブリＡの抜け止め棒Ｂ・Ｂが通過できるようにガイド溝１８ｂ・１８ｂが形成されている。
【００２０】
また、前記したアッセンブリＡの搬路１０とピストン部材１２の摺動ガイド部１３との間にはアッセンブリＡの送り機構２１が備えられている。この送り機構２１は断面をコ字状として全体に弧状に曲成された外装体を有し、この外装体の後方に突出されたフランジ２１ａを介して枢支されたものとなっている。
【００２１】
この送り機構２１の外装体には曲成形成された板バネ２２が挟み込まれて備えられており、この板バネ２２を後述するリンク部材の先端が復帰時に摺接することで外装体を枢動させることとなる。この送り機構２１の下端には別部材として用意され、万一のジャム時等にも対応できることとした送り爪部材２３が取り付けられ、前記した枢動によってアッセンブリＡを所定のピッチのみ中空ニ−ドル１５・１５方向へ送ってやることとなる。
【００２２】
さらに、図中２４は梃部材を示しており、この梃部材２４は回動プレ−ト４の表面側に重合状態とされ、この後端をピン２５によってベ−スプレ−ト１の後端寄り部分に枢支されている。この梃部材２４は略中央の下縁に少なくとも前面は突弧状とした略三角状の力点片２６が一体に垂設されている。
【００２３】
この力点片２６に対して、前記したレバ−部６の上部に形成された立壁部２７ａ・２７ｂが前後面に当摺接される。即ち、スタンバイ状態で、力点片２６の後面には立壁部２７ｂが接しており、レバ−部６の握持によって、この立壁部２７ｂが力点片２６を押し、ピン２５を支点とした回動を行なわせる。この回動時に力点片２６をその前面を立壁部２７ａと接し、後方への稼動力を受けることとなる。
【００２４】
ここで、この梃部材２４の略中央には異形をした透孔２８が形成され、この透孔２８に可動プレ−ト４に突設されたピン２９が遊嵌されている。前記した力点片２６における応力によって透孔２８の内周面はピン２９の外周面に摺接しカム作用を行なうこととなり、より強力に梃部材２４の作用点となる前端を上昇させることになる。この作用は透孔２８とピン２９との遊嵌によって後述するリンク部材３１の起動にタイムラグを生じせしめ、中空ニ−ドル１５・１５が対象物に突き刺さってからピストン部材１２が中空ニ−ドル１５・１５内を押し進むことができるものとしており、梃部材２４の初期状態への復帰をスム−ズに促すものとしている。
【００２５】
この梃部材２４の前端には、前方をやや幅広径とした長孔３０が形成されており、この長孔３０にブ−メラン状としたリンク部材３１の後端寄りに設けられたピン３２が掛合されているもので、前記した梃部材２４の前端、即ち、長孔３０部分が上昇させられることで、ピン３２はその長孔３０に沿ってさらに、少々のタイムラグをもって同期して位置を上昇することとなる。
【００２６】
このリンク部材３１はその略中央部分でピン３３によって枢支されているもので、その先端は前記したピストン部材１２の稼動ホルダ−１４・１４間に挿入され、このリンク部材３１の動きに伴って稼動ホルダ−１４・１４、しいてはピストン部材１２を摺動させることとなる。そして、稼動ホルダ−１４・１４間に挿入され、更に突出された突端は復帰時に前記した板バネ２２を擦り上げ、送り機構２１を駆動させることとなる。
【００２７】
また、図中３４は受部材を示しており、この受部材３４は前記した可動プレ−ト４の裏側に後半部分を重合して、その後端を梃部材２４を枢支したピン２５により、ベ−スプレ−ト１に支持され、さらに、可動プレ−ト４の裏面ではピン３５により、ベ−スプレ−ト１に支持されている。
【００２８】
この受部材３４の前端はベ−スプレ−ト１の下縁に沿って前方へ突出された対象物の受部３６となっており、この受部３６とベ−スプレ−ト１の下縁との間には対象物が挿し挟まれる隙間３７が形成されている。なお、図中３８はフランジ３に対し位置決めされ、取り付け位置を可変とされた対象物の挿し込みストッパ−である。この挿し込みストッパ−３８は略コ字状に形成されたものとされ、フランジ３に沿って形成された溝４０に沿って隙間３７の前方から挿し入れられ、受部３６の後方に形成された回動ガイド４１に沿って回動してセットされる。また、外す場合は溝４０に沿って前方へスライドさせ溝４０の前方寄りに設けられたサイドテ−パ４０ａに沿って捻ることで容易に取り外しできる。
【００２９】
さらに、図中３９はベ−スプレ−ト１のフランジ３に装着され、下面を前記隙間３７内に位置された中空ニ−ドル１５・１５の引き抜き戻りの補助部材である。この補助部材３９は薄板を用いて成形され、立片３９ａ・３９ａに形成された凹部３９ｂ・３９ｂをフランジ３に設けられるボスに掛合させ取り付けられる。その前方には可動プレ−ト４に沿った曲がりを有する延長片３９ｅが設けられ、可動プレ−ト４とカバ−４ａ間に位置してスペ−サの役目をなす。その延長片３９ｅの先端及び後端は略平行状態に曲成されて補強されている。
【００３０】
また、この補助部材３９の底板（対象物との当接板）３９ｃには一対の中空ニ−ドル１５・１５が挿通する窓孔３９ｄが形成されている。なお、図中３６ａは対象物を貫通した中空ニ−ドル１５・１５を受け入れるため、受部３６に設けられた受穴である。また、補助部材３９はストッパ−３８等と共にネジ等の要素を不要として装着が可能とされ、修理時に簡単に外せるものとなっている。そして、この補助部材３９はフランジ３の下面が中空ニ−ドル１５・１５の引き抜き補助が可能な場合、不要となり、あるいはフランジ３へ固定された一体物として設けることもできる。
【００３１】
本実施の形態にかかる係止部材の装着装置は上記のように構成されている。ここで、この使用、作用について説明する。まず、アセンブリＡを搬路１０に対し、投入部１０ａより投入する。アッセンブリＡはランナ−レスであることから生じる全体としての可撓性により、搬路１０に沿って変形しながら自重により落下していくが、押し送りコマ１７を用いてさらに送りを強制することで確実に中空ニ−ドル１５・１５の位置までアッセンブリＡの挿入前端が到達する。
【００３２】
ここで、図１にあって想像線で示すスタンバイ状態にあるレバ−部６を握持すると、立壁部２７ｂが梃部材２４の力点片２６の後面を押し、異形の透孔２８とピン２９によるカム作用及び立壁部２７ａによる力点片２６の前面抑制によって梃部材２４の前端を上昇させる。この上昇に伴ってリンク部材３１の後端も前記したようにタイムラグをもって上昇され、リンク部材３１の前端を下降させ、この下降によってピストン部材１２が中空ニ−ドル１５・１５内に導かれているアッセンブリＡの抜け止め棒Ｂ・Ｂを押し、アッセンブリＡから単体の係止部材を切り離して中空ニ−ドル１５・１５内に押し込んで行く。尚、この作業は前記タイムラグのため、当初は中空ニ−ドル１５・１５が対象物Ｗ及びラベルＬを貫通し、その後ピストン部材１２が稼動する順となる。
【００３３】
同時に、レバ−部６と一体化されている可動プレ−ト４自体もピン５を軸として回動し、隙間３７に挟持されている対象物に中空ニ−ドル１５・１５が貫通され、抜け止め棒Ｂ・Ｂを対象物の裏面にまで押し送り、ラベルＬ等を係止部材のフィラメント部と抜け止め棒Ｂ・Ｂによって止着する。この際、レバ−部６の前方に延長して設けられた屈曲延長部６ａは受部材３４に形成された立壁状の屈曲された支持部３４ａを押し上げ、受部３６を弾性を利用して上昇させると共に、受部３６の基端における締めを行ない、受部３６の安定性を図っている。
【００３４】
そして、レバ−部６を解放することでメカニズムは初期状態に復帰するが、その際、対象物に貫通された中空ニ−ドル１５・１５の引き抜きの摩擦抵抗に対し、補助部材３９が対象物の上面と当接して、これを押さえることで中空ニ−ドル１５・１５はスム−ズな復帰が得られる。また、前記したようにリンク部材３１の突端は屈成板バネ２２を擦り上げて送り機構２１を枢動させ、アッセンブリＡをワンピッチ分、中空ニ−ドル１５・１５へ送り込んで行く。尚、図中Ｗは対象物、Ｌはラベルを示している。
【００３５】
【発明の効果】
本発明に係る係止部材の装着装置は上述のように構成され、作用する。そのために、片手で扱える小型なものとなり、メカニズムも簡易なもので部品点数も少なく、故障の虞がなく、精巧な動作を得ることができる。また、万一のジャム時等にも素早く対処でき、幅広い使用用途を実現でき、製品価格も低廉なものとして需要者に供給することができるものとなっている。
【図面の簡単な説明】
【図１】本発明を実施した係止部材の装着装置の機構図である。
【図２】戻り防止の爪体機構を示す正面図である。
【図３】側面図である。
【図４】中空ニ−ドルの引き抜き補助部材を示す斜視図である。
【図５】係止部材の押し送りコマの装備状態を示す正面図である。
【図６】係止部材の連続アッセンブリを装填した状態の装着装置の正面図である。
【図７】係止部材の使用状態を示す図である。
【符号の説明】
１  ベ−スプレ−ト
２  切り欠き部
３  フランジ
４  可動プレ−ト
５  ピン
６  レバ−部
７  ビス
８  ビス
９  コイルスプリング
１０  搬路
１０ａ  投入部
１１  ガイドフランジ
１２  ピストン部材
１３  摺動ガイド部
１４  稼動ホルダ−
１５  中空ニ−ドル
１６  取り付け部材
１７  押し送りコマ
１８  ボックス
１９  コイルスプリング
２０  爪体
２１  送り機構
２２  板バネ
２３  送り爪部材
２４  梃部材
２５  ピン
２６  力点片
２７ａ  立壁部
２７ｂ  立壁部
２８  透孔
２９  ピン
３０  長孔
３１  リンク部材
３２  ピン
３３  ピン
３４  受部材
３５  ピン
３６  受部
３７  隙間
３８  挿し込みストッパ−
３９  補助部材
４０  溝
４１  回動ガイド
Ａ  アッセンブリ
Ｂ  抜け止め棒
Ｗ  対象物
Ｌ  ラベル
【図１】
0003751846.tif 000002
【図２】
0003751846.tif 000003
【図３】
0003751846.tif 000004
【図４】
0003751846.tif 000005
【図５】
0003751846.tif 000006
【図６】
0003751846.tif 000007
【図７】
0003751846.tif 000008